(57)【要約】【課題】供給先同士でエネルギーを融通できるエネルギー配給制御装置、エネルギー配給制御方法、エネルギー配給制御システムおよびエネルギー配給制御プログラムを提供すること。【解決手段】複数の住戸を含む予め定められたコミュニティで共有するエネルギー生成装置が生成したエネルギーと、当該エネルギーとは別系統で供給されるエネルギーとの配給量を調整するエネルギー配給制御装置であって、前記エネルギー配給制御装置は、前記エネルギー生成装置が生成した総エネルギー量を計算する計算部と、予め定められた割合で使用可能なエネルギー量を調整して配給する供給量調整部と、前記使用可能なエネルギー量のうち、消費したエネルギー量を計算する使用量計算部と、目標値を設定する目標設定部と、前記消費したエネルギー量と、前記目標値と、に基づいて余剰なエネルギー量を他の住戸に譲渡する処理を実行する譲渡部と、を備える。【選択図】図２
2014233133.tif 000002
【特許請求の範囲】
【請求項１】
複数の住戸を含む予め定められたコミュニティで共有するエネルギー生成装置が生成したエネルギーと、当該エネルギー生成装置が生成するエネルギーとは別系統で供給されるエネルギーとの配給量を調整するエネルギー配給制御装置であって、
前記エネルギー生成装置が生成した総エネルギー量を計算する計算部と、
前記総エネルギー量から前記コミュニティにおいて前記複数の住戸それぞれに予め定められた割合で配給する前記住戸ごとに使用可能なエネルギー量を調整して配給する供給量調整部と、
前記複数の住戸それぞれにおいて、配給された前記使用可能なエネルギー量のうち、消費したエネルギーをエネルギー使用量として計算する使用量計算部と、
前記エネルギーの使用量の目標値を設定する目標設定部と、
前記使用量計算部により計算された前記エネルギー使用量と、前記目標設定部により設定された前記エネルギー使用量の目標値と、に基づいて前記供給量調整部により配給された前記使用可能なエネルギー量のうち、余剰に配給されたエネルギー量を前記コミュニティに属する他の住戸に譲渡するための処理を実行する譲渡部と、
を備えることを特徴とするエネルギー配給制御装置。
【請求項２】
前記供給量調整部により配給された前記使用可能なエネルギー量と、前記使用量計算部により計算された前記エネルギー使用量と、に応じて前記住戸にポイントを付与するポイント部と、
をさらに備えることを特徴とする請求項１に記載のエネルギー配給制御装置。
【請求項３】
前記ポイント部は、前記使用量計算部により計算された前記エネルギー使用量と前記目標設定部により設定された前記エネルギー使用量の目標値とに基づいて目標達成率を計算し、前記目標達成率に応じて前記ポイントを付与すること
を特徴とする請求項２に記載のエネルギー配給制御装置。
【請求項４】
前記ポイント部により付与されたポイント、前記使用可能なエネルギー量、前記エネルギー使用量のうち少なくともいずれか一つを前記コミュニティに属する前記住戸それぞれに対して閲覧可能とする範囲または閲覧可能とする住戸を設定するプライバシー設定部
をさらに備えることを特徴とする請求項３に記載のエネルギー配給制御装置。
【請求項５】
複数の住戸を含む予め定められたコミュニティで共有するエネルギー生成装置が生成したエネルギーと、当該エネルギー生成装置が生成するエネルギーとは別系統で供給されるエネルギーとの配給量を調整するエネルギー配給制御装置における配給制御方法であって、
前記エネルギー生成装置が生成した総エネルギー量を計算する計算ステップと、
前記総エネルギー量から前記コミュニティにおいて前記複数の住戸それぞれに予め定められた割合で配給する前記住戸ごとに使用可能なエネルギー量を調整して配給する供給量調整ステップと、
前記複数の住戸それぞれにおいて、配給された前記使用可能なエネルギー量のうち、消費したエネルギーをエネルギー使用量として計算する使用量計算ステップと、
前記エネルギーの使用量の目標値を設定する目標設定ステップと、
前記使用量計算ステップにより計算された前記エネルギー使用量と、前記目標設定ステップにより設定された前記エネルギー使用量の目標値と、に基づいて前記供給量調整ステップにより配給された前記使用可能なエネルギー量のうち、余剰に配給されたエネルギー量を前記コミュニティに属する他の住戸に譲渡する処理を実行する譲渡ステップと、
を有することを特徴とするエネルギー配給制御方法。
【請求項６】
複数の住戸を含む予め定められたコミュニティで共有するエネルギー生成装置が生成したエネルギーと、当該エネルギー生成装置が生成するエネルギーとは別系統で供給されるエネルギーとの配給量を調整するエネルギー配給制御システムであって、
前記エネルギー生成装置が生成した総エネルギー量を計算する計算部と、
前記総エネルギー量から前記コミュニティにおいて前記複数の住戸それぞれに予め定められた割合で配給する前記住戸ごとに使用可能なエネルギー量を調整して配給する供給量調整部と、
前記複数の住戸それぞれにおいて、配給された前記使用可能なエネルギー量のうち、消費したエネルギーをエネルギー使用量として計算する使用量計算部と、
前記エネルギーの使用量の目標値を設定する目標設定部と、
前記使用量計算部により計算された前記エネルギー使用量と、前記目標設定部により設定された前記エネルギー使用量の目標値と、に基づいて前記供給量調整部により配給された前記使用可能なエネルギー量のうち、余剰に配給されたエネルギー量を前記コミュニティに属する他の住戸に譲渡する処理を実行する譲渡部と、
を備えることを特徴とするエネルギー配給制御システム。
【請求項７】
複数の住戸を含む予め定められたコミュニティで共有するエネルギー生成装置が生成したエネルギーと、当該エネルギー生成装置が生成するエネルギーとは別系統で供給されるエネルギーとの配給量を調整するエネルギー配給制御装置のコンピュータに、
前記エネルギー生成装置が生成した総エネルギー量を計算する計算ステップと、
前記総エネルギー量から前記コミュニティにおいて前記複数の住戸それぞれに予め定められた割合で配給する前記住戸ごとに使用可能なエネルギー量を調整して配給する供給量調整ステップと、
前記複数の住戸それぞれにおいて、配給された前記使用可能なエネルギー量のうち、消費したエネルギーをエネルギー使用量として計算する使用量計算ステップと、
前記エネルギーの使用量の目標値を設定する目標設定ステップと、
前記使用量計算ステップにより計算された前記エネルギー使用量と、前記目標設定ステップにより設定された前記エネルギー使用量の目標値と、に基づいて前記供給量調整ステップにより配給された前記使用可能なエネルギー量のうち、余剰に配給されたエネルギー量を前記コミュニティに属する他の住戸に譲渡する処理を実行する譲渡ステップと、
を実行させるためのエネルギー配給制御プログラム。
【発明の詳細な説明】
【技術分野】
【０００１】
本発明は、エネルギー配給制御装置、エネルギー配給制御方法、エネルギー配給制御システムおよびエネルギー配給制御プログラムに関する。
【背景技術】
【０００２】
消費電力量をリアルタイムでしかも目に見える形で把握できるようにする技術がある。例えば、特許文献１に記載の技術は、経費削減支援センタに設けられた経費削減支援サーバが、インターネット等の通信ネットワークを介して、ユーザが備える消費電力計測端末及びデータ端末と接続されて構成され、消費電力計測端末が、電流測定手段、換算手段及び消費電力量送信手段を備え、経費削減支援サーバが、消費電力量受信・保有手段、演算・保有手段、節電ノウハウ保有手段及び提示手段を備え、データ端末が、受信・表示手段を備えるものである。
【先行技術文献】
【特許文献】
【０００３】
【特許文献１】特開２００３−１３４６９５号公報
【発明の概要】
【発明が解決しようとする課題】
【０００４】
しかしながら、特許文献１に記載の技術を用いても、供給先同士でのエネルギーを融通することができないという問題があった。
【０００５】
本発明は、上記の点に鑑みてなされたものであり、供給先同士でのエネルギーを融通することができるエネルギー配給制御装置、エネルギー配給制御方法、エネルギー配給制御システムおよびエネルギー配給制御プログラムを提供することを課題とする。
【課題を解決するための手段】
【０００６】
（１）本発明は、上述した課題を解決するためになされたもので、本発明の第１の態様は、複数の住戸を含む予め定められたコミュニティで共有するエネルギー生成装置が生成したエネルギーと、当該エネルギー生成装置が生成するエネルギーとは別系統で供給されるエネルギーとの配給量を調整するエネルギー配給制御装置であって、前記エネルギー生成装置が生成した総エネルギー量を計算する計算部と、前記総エネルギー量から前記コミュニティにおいて前記複数の住戸それぞれに予め定められた割合で配給する前記住戸ごとに使用可能なエネルギー量を調整して配給する供給量調整部と、前記複数の住戸それぞれにおいて、配給された前記使用可能なエネルギー量のうち、消費したエネルギーをエネルギー使用量として計算する使用量計算部と、前記エネルギーの使用量の目標値を設定する目標設定部と、前記使用量計算部により計算された前記エネルギー使用量と、前記目標設定部により設定された前記エネルギー使用量の目標値と、に基づいて前記供給量調整部により配給された前記使用可能なエネルギー量のうち、余剰に配給されたエネルギー量を前記コミュニティに属する他の住戸に譲渡するための処理を実行する譲渡部と、を備えることを特徴とするエネルギー配給制御装置である。
【０００７】
（２）本発明の第２の態様は、上述のエネルギー配給制御装置であって、前記供給量調整部により配給された前記使用可能なエネルギー量と、前記使用量計算部により計算された前記エネルギー使用量と、に応じて前記住戸にポイントを付与するポイント部と、をさらに備えることを特徴とするエネルギー配給制御装置である。
【０００８】
（３）本発明の第３の態様は、上述のエネルギー配給制御装置であって、前記ポイント部は、前記使用量計算部により計算された前記エネルギー使用量と前記目標設定部により設定された前記エネルギー使用量の目標値とに基づいて目標達成率を計算し、前記目標達成率に応じて前記ポイントを付与することを特徴とするエネルギー配給制御装置である。
【０００９】
（４）本発明の第４の態様は、上述のエネルギー配給制御装置であって、前記ポイント部により付与されたポイント、前記使用可能なエネルギー量、前記エネルギー使用量のうち少なくともいずれか一つを前記コミュニティに属する前記住戸それぞれに対して閲覧可能とする範囲または閲覧可能とする住戸を設定するプライバシー設定部をさらに備えることを特徴とするエネルギー配給制御装置である。
【００１０】
（５）本発明の第５の態様は、複数の住戸を含む予め定められたコミュニティで共有するエネルギー生成装置が生成したエネルギーと、当該エネルギー生成装置が生成するエネルギーとは別系統で供給されるエネルギーとの配給量を調整するエネルギー配給制御装置における配給制御方法であって、前記エネルギー生成装置が生成した総エネルギー量を計算する計算ステップと、前記総エネルギー量から前記コミュニティにおいて前記複数の住戸それぞれに予め定められた割合で配給する前記住戸ごとに使用可能なエネルギー量を調整して配給する供給量調整ステップと、前記複数の住戸それぞれにおいて、配給された前記使用可能なエネルギー量のうち、消費したエネルギーをエネルギー使用量として計算する使用量計算ステップと、前記エネルギーの使用量の目標値を設定する目標設定ステップと、前記使用量計算ステップにより計算された前記エネルギー使用量と、前記目標設定ステップにより設定された前記エネルギー使用量の目標値と、に基づいて前記供給量調整ステップにより配給された前記使用可能なエネルギー量のうち、余剰に配給されたエネルギー量を前記コミュニティに属する他の住戸に譲渡する処理を実行する譲渡ステップと、を有することを特徴とするエネルギー配給制御方法である。
【００１１】
（６）本発明の第６の態様は、複数の住戸を含む予め定められたコミュニティで共有するエネルギー生成装置が生成したエネルギーと、当該エネルギー生成装置が生成するエネルギーとは別系統で供給されるエネルギーとの配給量を調整するエネルギー配給制御システムであって、前記エネルギー生成装置が生成した総エネルギー量を計算する計算部と、前記総エネルギー量から前記コミュニティにおいて前記複数の住戸それぞれに予め定められた割合で配給する前記住戸ごとに使用可能なエネルギー量を調整して配給する供給量調整部と、前記複数の住戸それぞれにおいて、配給された前記使用可能なエネルギー量のうち、消費したエネルギーをエネルギー使用量として計算する使用量計算部と、前記エネルギーの使用量の目標値を設定する目標設定部と、前記使用量計算部により計算された前記エネルギー使用量と、前記目標設定部により設定された前記エネルギー使用量の目標値と、に基づいて前記供給量調整部により配給された前記使用可能なエネルギー量のうち、余剰に配給されたエネルギー量を前記コミュニティに属する他の住戸に譲渡する処理を実行する譲渡部と、を備えることを特徴とするエネルギー配給制御システムである。
【００１２】
（７）本発明の第７の態様は、複数の住戸を含む予め定められたコミュニティで共有するエネルギー生成装置が生成したエネルギーと、当該エネルギー生成装置が生成するエネルギーとは別系統で供給されるエネルギーとの配給量を調整するエネルギー配給制御装置のコンピュータに、前記エネルギー生成装置が生成した総エネルギー量を計算する計算ステップと、前記総エネルギー量から前記コミュニティにおいて前記複数の住戸それぞれに予め定められた割合で配給する前記住戸ごとに使用可能なエネルギー量を調整して配給する供給量調整ステップと、前記複数の住戸それぞれにおいて、配給された前記使用可能なエネルギー量のうち、消費したエネルギーをエネルギー使用量として計算する使用量計算ステップと、前記エネルギーの使用量の目標値を設定する目標設定ステップと、前記使用量計算ステップにより計算された前記エネルギー使用量と、前記目標設定ステップにより設定された前記エネルギー使用量の目標値と、に基づいて前記供給量調整ステップにより配給された前記使用可能なエネルギー量のうち、余剰に配給されたエネルギー量を前記コミュニティに属する他の住戸に譲渡する処理を実行する譲渡ステップと、を実行させるためのエネルギー配給制御プログラムである。
【発明の効果】
【００１３】
本発明のエネルギー配給制御装置、エネルギー配給制御方法、エネルギー配給制御システムおよびエネルギー配給制御プログラムによれば、供給先同士でのエネルギーを融通することができる。
【図面の簡単な説明】
【００１４】
【図１】本発明の一実施形態に係るエネルギー配給制御システムの構成の一例を示す概略図である。
【図２】本発明の一実施形態に係るエネルギー配給制御装置の構成の一例を示す概略ブロック図である。
【図３】本発明の一実施形態に係るエネルギー配給制御装置を適用可能なソーシャルネットワークサービスの一例を示す概略図である。
【図４】本発明の一実施形態に係るエネルギー配給制御装置を適用可能なソーシャルネットワークサービスの一例を示す概略図である。
【図５】本発明の一実施形態に係るエネルギー配給制御装置を適用可能なソーシャルネットワークサービスの他の一例を示す概略図である。
【図６】本発明の一実施形態に係るエネルギー配給制御装置を適用可能なソーシャルネットワークサービスの他の一例を示す概略図である。
【図７】本発明の一実施形態に係るエネルギー配給制御システムが応用的に利用される様子の一例を示す模式図である。
【図８】本発明の一実施形態に係るエネルギー配給制御装置のエネルギー配給制御処理の一例を示すフローチャートである。
【発明を実施するための形態】
【００１５】
（一実施形態）
以下、図面を参照しながら本発明の一実施形態について詳しく説明する。
図１は、本発明の一実施形態に係るエネルギー配給制御システムＳ１の構成の一例を示す概略図である。
エネルギー配給制御システムＳ１は、配給制御装置１と、エネルギー生成装置２と、エネルギー供給源３と、情報処理装置４と、エネルギーの供給先である複数の住戸ＨＭ１、ＨＭ２、ＨＭ３．ＨＭ４、ＨＭ５と、を含んで構成される。
ここで、複数の住戸ＨＭ１、ＨＭ２、ＨＭ３、ＨＭ４、ＨＭ５は、同一のエリアＡＲ１内に存在する。このエリアＡＲ１は、例えば１丁目自治会や、ＸＸ町内会などの地域の自治会ごとや複数の住戸を有する集合住宅ごとに形成される。
また、エリアＡＲ１内に属する住戸それぞれは、エリアＡＲ１ごとにコミュニティに属する。
【００１６】
同一のコミュニティに属するエリアＡＲ１内の住戸それぞれは、例えば共同でエネルギー生成装置２を有し、エネルギー生成装置２の設置時の出資比率など予め定められた割合によって、それぞれの住戸が使用可能なエネルギー量が配給制御装置１により決定される。エネルギー生成装置２は、例えば発電装置と当該発電装置が発電した電力を蓄電する蓄電池を有する。
配給制御装置１は、エネルギー生成装置２とエネルギー供給源３とからエネルギーが供給される。エネルギー供給源３とは、例えば、電力会社から供給される電力源である。
【００１７】
配給制御装置１には、エネルギー生成装置２から送電線ＰＬ１を介し、生成エネルギーが供給され、エネルギー供給源３から送電線ＰＬ２を介し、供給エネルギーが供給される。このように、配給制御装置１は、二つの系統からのエネルギー取得手段を有し、優先する系統のエネルギー使用量に応じてもう他系統のエネルギー取得手段に切り替える。
また、各住戸ＨＭ１、ＨＭ２、ＨＭ３、ＨＭ４、ＨＭ５と情報処理装置４とは、ネットワークＮ１を介して有線または無線で通信を行う。また、情報処理装置４と配給制御装置１とは、ネットワークＮ１およびネットワークＮ２を介して有線または無線で通信を行う。また、各住戸同士もネットワークＮ１を介して有線または無線で通信を行う。
【００１８】
なお、ネットワークＮ１とネットワークＮ２とは、同一のネットワークで構成してもよい。
ここで、各住戸には、配給制御装置１を介して生成エネルギーおよび供給エネルギーを住戸ＨＭ１、ＨＭ２、ＨＭ４のように供給してもよいし、住戸ＨＭ３のように生成エネルギー供給線ＰＷ１と供給エネルギー供給線ＰＷ２とのように、予め複数系統のエネルギー供給線からエネルギーを配給制御装置１が切り替えて供給してもよいし、住戸ＨＭ５のように生成エネルギーを配給制御装置１から供給線ＰＷ１を介して供給し、供給エネルギーをエネルギー供給源３から供給線ＰＷ３を介して直接供給してもよい。
【００１９】
配給制御装置１は、エネルギー生成装置が生成した総エネルギー量から予め定められた割合で住戸ごとに使用可能なエネルギー量を決定し、当該使用可能なエネルギー量に応じたエネルギーを住戸に配給する。各住戸は、配給される使用可能なエネルギー量、エネルギー消費量などを、情報処理装置４を介して確認することができる。そして、コミュニティ内の他の住戸からの要求、エネルギー使用量などに応じて、使用可能なエネルギー量のうち、必要でない余剰なエネルギー量を表す譲渡チケットを生成して情報処理装置４に送信する。情報処理装置４は、譲渡チケットを受信すると、当該チケットが表すエネルギー量を譲渡元の住戸から譲渡先の住戸へ譲渡させる指示信号を配給制御装置１に送信する。配給制御装置１は、情報処理装置４から指示信号を受信すると、当該指示信号に応じてある住戸の使用可能なエネルギー量から譲渡チケットが表すエネルギー量を指定された他の住戸の使用可能なエネルギー量として加算する処理を行う。
【００２０】
図２は、本発明の一実施形態に係るエネルギー配給制御装置５の構成の一例を示す概略ブロック図である。
エネルギー配給制御装置５は、配給制御装置１と、情報処理装置４と、を含んで構成される。
配給制御装置１は、蓄電量計算部１１と、配給制御部１２と、分電盤１３と、を含んで構成される。配給制御部１２は、供給源切替部１２１と、供給量調整部１２２と、を含んで構成される。情報処理装置４は、アカウント部４１と、プライバシー設定部４２と、譲渡部４３と、受領部４４と、目標設定部４５と、ポイント部４６と、を含んで構成される。
【００２１】
蓄電量計算部１１は、エネルギー生成装置２が備える発電装置が発電し、当該発電装置が蓄電池に蓄電した電力量を蓄電量として計算する。蓄電量計算部１１は、計算した蓄電量を配給制御部１２に出力する。
【００２２】
供給源切替部１２１は、蓄電量計算部１１から入力された蓄電量に基づいて、コミュニティに属する住戸に対して十分供給できる電力量が蓄電されているか否かを判定する。具体的には、供給源切替部１２１は、蓄電量が閾値以上である場合、コミュニティに属する住戸に対して十分供給できる電力量が蓄電されていると判定し、エネルギーの供給元をエネルギー供給源３からエネルギー生成装置２に切り替える。一方、供給源切替部１２１は、蓄電量が閾値未満である場合、コミュニティに属する住戸に対して十分供給できる電力量が蓄電されていないと判定し、エネルギー供給元をエネルギー生成装置２からエネルギー供給源３に切り替える。
供給源切替部１２１は、切り換え後のエネルギー供給元を表す情報を供給量調整部１２２に出力する。
【００２３】
供給量調整部１２２は、供給源切替部１２１から入力された切り換え後のエネルギー供給元を表す情報がエネルギー生成装置２を表す場合、蓄電量計算部１１が計算した蓄電量と、予め定められた住戸ごとの使用割合により、住戸ごとに使用可能なエネルギー量を計算する。供給量調整部１２２は、計算した住戸ごとに使用可能なエネルギー量に応じて各住戸に生成エネルギーを供給する。一方、供給源切替部１２１から入力された切り換え後のエネルギー供給元を表す情報がエネルギー供給源３を表す場合、当該供給量の計算を行わずにエネルギー供給源３から供給エネルギーを、分電盤１３を介して供給する。
また、供給量調整部１２２は、情報処理装置４から譲渡チケットを受信すると、当該譲渡チケットに含まれる譲渡元の住戸を表す情報、譲渡先の住戸を表す情報および譲渡するエネルギー量に応じて配給する使用可能なエネルギー量を調整する。そして、供給量調整部１２２は、当該調整が完了すると、調整が完了したことを表す完了通知を情報処理装置４に送信する。
【００２４】
分電盤１３は、住戸ごとに生成エネルギーを供給するか否かを切り替え可能な切替装置を備え、当該切替装置により、生成エネルギーを配給する住戸を選別する。
【００２５】
アカウント部４１は、住戸それぞれにおいて、配給された使用可能なエネルギー量のうち、消費されたエネルギーをエネルギー使用量として住戸ごとに計算する。アカウント部４１は、計算した住戸ごとのエネルギー使用量を表す情報をポイント部４６に出力する。
プライバシー設定部４２は、後述するポイント、使用可能なエネルギー量、エネルギー使用量のうち少なくともいずれか一つをコミュニティに属する住戸に対して閲覧可能とする範囲または閲覧可能とする個々の住戸などの設定をユーザから受け付ける。
【００２６】
譲渡部４３は、プライバシー設定部４２により閲覧可能とされた範囲または個々の住戸であって、同一のコミュニティに属する譲渡先の住戸の指定および配給された使用可能なエネルギー量のうち、当該住戸で余剰または譲渡可能である任意のエネルギー量をユーザから受け付け、譲渡先の住戸を表す情報と譲渡するエネルギー量と譲渡元の住戸を表す情報を含む譲渡チケットを生成する。例えば、ユーザは、相互に閲覧可能なエネルギー使用量に応じて譲渡先の住戸および譲渡するエネルギー量を指定し、譲渡部４３は、当該譲渡先の住戸を表す情報と、譲渡するエネルギー量と、に譲渡元の住戸を表す情報を付加して譲渡チケットを生成する。譲渡部４３は、生成した譲渡チケットを配給制御部１２に送信する。
【００２７】
受領部４４は、譲渡部４３が配給制御部１２に送信した譲渡チケットに対する応答として調整完了通知を受領する。受領部４４は、受領した調整完了通知をポイント部４６に出力する。
目標設定部４５は、住戸ごとのエネルギー使用量の目標値を受け付ける。目標設定部４５は、受け付けたエネルギー使用量の目標値を表す情報をポイント部４６に出力する。
【００２８】
ポイント部４６は、エネルギー使用量を表す情報とエネルギー使用量の目標値を表す情報とに基づいて目標達成率を計算する。そして、ポイント部４６は、計算した目標達成率に応じてポイントを住戸ごとに付与する。また、ポイント部４６は、受領部４４から調整完了通知が入力されると、当該譲渡したエネルギー量に応じたポイントを付与する。
【００２９】
図３は、本発明の一実施形態に係るエネルギー配給制御装置５を適用可能なソーシャルネットワークサービスの一例を示す概略図である。
画像ＭＩＭは、エリアに属する複数の住戸（例えば、複数の住戸からなる集合住宅）を疑似的に居住構造として模式した一例である。
画像ＭＩＭでは、複数の住戸がそれぞれアリの巣の一室として表され、例えば、領域Ａ１には、「１０１  ＹＡＭＡＤＡ」とそれに付随する領域Ａ２とが１０１号室の住戸に対応する。このように、集合住宅などの住戸ごとにアリの巣中の一部屋（領域）が割り当てられている。オブジェクトＯ６は、当該エリアにおけるエネルギー使用量がピークを迎える時間帯を表すアイコンが表示される。
【００３０】
また、アリの巣構造の地上面には、供給エネルギーを生成して供給するプラントＯ１と、エネルギー生成装置２により生成された生成エネルギーＯ２とを表す各オブジェクトが描写されている。オブジェクトＯ３、Ｏ４などは、住人を表すキャラクター、例えば蟻である。例えば、巣に向かう蟻は、帰宅途中の住人を表し、巣からプラントＯ１に向かう蟻は、出勤、登校、外出する住人を表す。例えば、領域Ａ３とそれに付随する領域Ａ４を拡大した画像が図４である。
なお、図３において、エリアの天気や湿度、蓄電量計算部１１により計算された蓄電量に応じたコメントなどを表示してもよい。
【００３１】
図４は、本発明の一実施形態に係るエネルギー配給制御装置５を適用可能なソーシャルネットワークサービスの一例を示す概略図である。
画像Ｇ６０では、居住室Ａ３、それに付随するエネルギー室Ａ４、のように複数の領域から構成されている。エネルギー室Ａ４には、使用可能なエネルギー量に余裕がある場合、当該余裕があることを示すアイコンＩ１が表示される。
【００３２】
また、領域は、例えばエネルギー使用量に応じて、例えば、一時的にエネルギー使用量が少ない住戸に対応する領域の明るさを暗くして不在であることを表し、逆にエネルギー使用量が多い住戸に対応する領域の明るさを明るくして在宅していることを表してもよい。
また、画像Ｇ６０において、節電ランキングとして、現在のエネルギー使用量に応じたランキングをオブジェクトＯ２２で表示している。さらに、１日あたりのエネルギー使用量に応じたランキングをオブジェクトＯ２３で表示している。また、１ヶ月あたりのエネルギー使用量に応じたランキングをオブジェクトＯ２４で表示している。
このように、エネルギー使用量に応じてランキング形式でユーザに提示することで、ユーザが楽しみながらエネルギーを節約させることができる。
【００３３】
また、画像Ｇ６０において、例えば、オブジェクトＯ１５のように１日の譲渡または融通したエネルギー量に応じたランキングを表示させ、オブジェクトＯ１６のように１週間の譲渡または融通したエネルギー量に応じたランキングを表示させ、オブジェクトＯ１７のように１ヶ月あたりの譲渡または融通したエネルギー量に応じたランキングを表示させる。なお、それぞれのランキングに応じてポイント部４６が該当する住戸にポイントを付与してもよい。
また、オブジェクトＯ１８のように、蓄電量を表示する。
【００３４】
図５は、本発明の一実施形態に係るエネルギー配給制御装置５を適用可能なソーシャルネットワークサービスの他の一例を示す概略図である。
図３における領域Ａ１を拡大した画像が画像Ｇ１１である。画像ＭＩＭにおいて、アリの巣の一室Ｏ５には、「Ｈｅｌｐ  ｍｅ！」と表示アイコンＨＭが表示され、コミュニティに属する他の住戸の住人に対して何らかの助けを要求していることを表している。ここで、画像Ｇ１１において、蟻が身動きの取れない状態で表されており、当該住戸にて使用可能なエネルギー量が不足していることを表している。
【００３５】
当該領域Ａ１を訪問したキャラクターは、例えば、配給された使用可能なエネルギー量Ｏ９のうち、エネルギー使用量Ｏ８を差し引いた、余剰であるまたは融通可能なエネルギー量を、任意で選択し、譲渡決定を表す「あげる」ボタンＯ１０を選択する。すると、譲渡部４３は、譲渡先の住戸を表す情報と譲渡するエネルギー量を表す情報とに譲渡元の住戸として自らの住戸を表す情報を付加することで譲渡チケットを生成して配給制御装置１に送信することで、エネルギー量の譲渡を行うことができる。なお、譲渡するエネルギー量を設定するとき、中止する場合には「やめる」ボタンＢ１を選択すれば、エネルギーの譲渡を中止する。
【００３６】
図６は、本発明の一実施形態に係るエネルギー配給制御装置５を適用可能なソーシャルネットワークサービスの他の一例を示す概略図である。
画像Ｇ４３は、図５に示したエネルギー量の譲渡に係る他の一例である。
画像Ｇ４３には、使用可能なエネルギー量または蓄電量がアイコンＩ２で表示され、「使う」アイコンＩ３を選択すると、家電一覧が表示され、当該表示された一覧からかで家電を選択すると、キャラクターが、当該家電が消費する分の電力を食べることにより、エネルギーを消費したことを表す。
また、「売る」アイコンＩ４を選択すると、エネルギーを売る先の一覧が表示され、当該表示された一覧からエネルギーを売る先を選択すると、キャラクターが売る先の住戸に対応する領域にエネルギーを表す餌を運ぶ。また、「あげる」アイコンＩ５を選択すると、予め作成された連絡帳が表示され、当該連絡帳から宛先を選択すると、キャラクターが当該宛先に対応する領域にエネルギーを表す餌を運ぶ。
なお、エネルギーを表す餌を運んだキャラクターが、その対価としてポイントまたは、自住戸に対応する領域やキャラクターを装飾するアイテムＯ２０などが付与されてもよい。
【００３７】
画像Ｇ４４において、エリアＡＲ１ごとの現在のエネルギー消費量、今日（１日）のエネルギー消費量、今月（１ヶ月）のエネルギー消費量などの複数のタイムスケールでの消費エネルギーをランキング形式で表示してもよい。
【００３８】
図７は、本発明の一実施形態に係るエネルギー配給制御システムＳ１が応用的に利用される様子の一例を示す模式図である。
図７は、エネルギー配給制御システムＳ１が応用的に利用される様子を模式的に示す図である。図７において、プラットフォームＰＦは、情報処理装置４に相当し、デザインコンソールＤＣは、パソコン、タブレットＰＣ（Ｐｅｒｓｏｎａｌ  Ｃｏｍｐｕｔｅｒ）、スマートフォンなどに相当する。サービサーＡ〜Ｃは、プラットフォームＰＦが収集する各種情報に基づいて、サービスの用途に応じてカスタマイズされたコンテンツを各ユーザに提供する。
【００３９】
図８は、本発明の一実施形態に係るエネルギー配給制御装置５のエネルギー配給制御処理の一例を示すフローチャートである。
ステップＳＴ１０１において、蓄電量計算部１１は、エネルギー生成装置２が備える発電装置が発電し、当該発電装置が蓄電池に蓄電した電力量を蓄電量として計算する。
ステップＳＴ１０２において、供給源切替部１２１は、蓄電量が閾値以上か否かを判定する。蓄電量が閾値以上である場合、ステップＳＴ１０４に進む。一方、蓄電量が閾値未満である場合、ステップＳＴ１０３に進む。
【００４０】
ステップＳＴ１０３において、供給源切替部１２１は、エネルギーの供給元をエネルギー生成装置２からエネルギー供給源３に切り替え、供給エネルギーを供給し、エネルギー配給制御処理を終了する。
ステップＳＴ１０４において、供給源切替部１２１は、エネルギー供給元をエネルギー供給源３からエネルギー生成装置２に切り替え、生成エネルギーを供給する。
ステップＳＴ１０５において、供給量調整部１２２は、蓄電量計算部１１が計算した蓄電量と、予め定められた住戸ごとの使用割合により、住戸ごとに使用可能なエネルギー量を計算する。供給量調整部１２２は、計算した住戸ごとに使用可能なエネルギー量に応じて各住戸に生成エネルギーを配給する。
【００４１】
ステップＳＴ１０６において、アカウント部４１は、住戸それぞれにおいて、配給された使用可能なエネルギー量のうち、消費されたエネルギーをエネルギー使用量として住戸ごとに計算する。
ステップＳＴ１０７において、目標設定部４５は、住戸ごとのエネルギー使用量の目標値を受け付け、当該目標値をエネルギー使用量の目標値として設定する。
ステップＳＴ１０８において、ポイント部４６は、エネルギー使用量を表す情報とエネルギー使用量の目標値を表す情報とに基づいて目標達成率を計算する。
ステップＳＴ１０９において、ポイント部４６は、目標達成率が１００％以上か否かを判定する。目標達成率が１００％以上である場合、ステップＳＴ１１０に進む。一方、目標達成率が１００％未満である場合、ステップＳＴ１１１に進む。
【００４２】
ステップＳＴ１１０において、ポイント部４６は、目標達成率に応じてポイントを付与する。
ステップＳＴ１１１において、譲渡部４３は、配給された使用可能なエネルギー量のうち、当該住戸で余剰または譲渡可能である任意のエネルギー量を譲渡する譲渡依頼をユーザから受け付けたか否かを判定する。譲渡依頼をユーザから受け付けた場合、ステップＳＴ１１２に進む。一方、譲渡依頼をユーザから受け付けていない場合、エネルギー配給制御処理を終了する。
ステップＳＴ１１２において、譲渡部４３は、エネルギー量を譲渡するための処理を実施する。具体的には、譲渡部４３は、譲渡先の住戸を表す情報と譲渡するエネルギー量と譲渡元の住戸を表す情報とを含む譲渡チケットを生成する。
【００４３】
ステップＳＴ１１３において、受領部４４は、譲渡部４３が生成した譲渡チケットの応答として調整完了通知を受領する。
ステップＳＴ１１４において、ポイント部４６は、調整完了通知が入力されると、ポイントを付与する。
【００４４】
このように、本実施形態によれば、エネルギー配給制御装置５は、複数の住戸を含む予め定められたコミュニティで共有するエネルギー生成装置２が生成したエネルギーと、当該エネルギー生成装置２が生成するエネルギーとは別系統で供給されるエネルギーとの配給量を調整する。エネルギー配給制御装置５は、エネルギー生成装置２が生成した総エネルギー量を計算する計算部（蓄電量計算部１１）と、総エネルギー量からコミュニティにおいて複数の住戸それぞれに予め定められた割合で配給する住戸ごとに使用可能なエネルギー量を調整して配給する供給量調整部１２２と、複数の住戸それぞれにおいて、配給された使用可能なエネルギー量のうち、消費したエネルギーをエネルギー使用量として計算する使用量計算部（アカウント部４１）と、エネルギーの使用量の目標値を設定する目標設定部４５と、使用量計算部（アカウント部４１）により計算されたエネルギー使用量と、目標設定部４５により設定されたエネルギー使用量の目標値と、に基づいて前記供給量調整部１２２により配給された使用可能なエネルギー量のうち、余剰に配給されたエネルギー量をコミュニティに属する他の住戸に譲渡するための処理を実行する譲渡部４３と、を備える。
【００４５】
これにより、集合住宅、エリアなどのコミュニティにおける複数の住戸間でエネルギーの見える化を行うことができ、ユーザ（住戸）間で、ある単位でのエネルギー量の融通が可能となる。また、自住戸に割り当てられた使用可能なエネルギー量から他の住戸に融通したエネルギー量を引いた値をエネルギー使用量の目標値とし、エネルギー使用量の実績値との評価を行い、評価基準により、ユーザにポイントを付与することができるため、ユーザのエネルギー節約へのモチベーションを向上させることができる。
【００４６】
なお、上述した実施形態におけるエネルギー配給制御装置５の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、エネルギー配給制御装置５に内蔵されたコンピュータシステムであって、ＯＳや周辺機器等のハードウェアを含むものとする。
【００４７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【００４８】
また上記プログラムは、前述した機能の一部を実現するためのものであっても良く、さらに前述した機能をコンピュータシステムにすでに記録されているプログラムとの組み合わせで実現できるものであっても良い。
【００４９】
また、上述した実施形態におけるエネルギー配給制御装置５の一部、または全部を、ＬＳＩ（Ｌａｒｇｅ  Ｓｃａｌｅ  Ｉｎｔｅｇｒａｔｉｏｎ）等の集積回路として実現しても良い。エネルギー配給制御装置５の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５１】
１・・・配給制御装置、２・・・エネルギー生成装置、２１・・・蓄電池、３・・・エネルギー供給源、４・・・情報処理装置、Ｎ１、Ｎ２・・・ネットワーク、ＡＲ１・・・エリア、ＨＭ１、ＨＭ２、ＨＭ３、ＨＭ４、ＨＭ５・・・住戸、Ｓ１・・・エネルギー配給制御システム、１１・・・蓄電量計算部（計算部）、１２・・・配給制御部、１２１・・・供給源切替部、１２２・・・供給量調整部、１３・・・分電盤、５・・・エネルギー配給制御装置、４１・・・アカウント部（使用量計算部）、４２・・・プライバシー設定部、４３・・・譲渡部、４４・・・受領部、４５・・・目標設定部、４６・・・ポイント部
【図１】
2014233133.tif 000003
【図２】
2014233133.tif 000004
【図３】
2014233133.tif 000005
【図４】
2014233133.tif 000006
【図５】
2014233133.tif 000007
【図６】
2014233133.tif 000008
【図７】
2014233133.tif 000009
【図８】
2014233133.tif 000010